(57)【特許請求の範囲】
【請求項１】
植物栽培施設で使用され腐植物質を含有したブロック土壌を、リサイクル再生して再利用に供する方法であって、
まず、アルカリ性イオン水が散布される第１散布工程と、次に、有機酸が散布される第２散布工程と、それから、二価鉄（Ｆｅ）と炭素（Ｃ）が配合される配合工程とを、順に辿って再生土壌を得るようになっており、該炭素は、コークス，グラファイト，木炭，石炭，又は活性炭よりなること、を特徴とする土壌再生方法。
【請求項２】
請求項１において、リサイクル再生対象の該ブロック土壌は、肥料が施されていた腐植土よりなり、該腐植物質を含有しており、
散布される該アルカリ性イオン水は、亜塩素酸ナトリウムよりなり、散布される該有機酸は、クエン酸又は酢酸よりなり、
配合される該二価鉄は、二価鉄含有物質中に含有されており、粉状又は粒状をなしており、配合される該炭素は、炭素材からなるか又は炭素含有物質中に含有されており、粉状，粒状，又は繊維状をなすこと、を特徴とする土壌再生方法。
【請求項３】
請求項２において、該二価鉄は、隣接する該炭素より電気陰性度が低いことに起因して、二価の鉄イオン（Ｆｅ２＋）化すること、を特徴とする土壌再生方法。
【請求項４】
請求項２において、該二価鉄は、該腐植物質のフミン酸の働きにより、二価の鉄イオン（Ｆｅ２＋）化すること、を特徴とする土壌再生方法。
【請求項５】
請求項３又は４において、該二価の鉄イオンは、該腐植物質のフルボ酸と結合し、もって錯体であるフルボ酸鉄が生成されること、を特徴とする土壌再生方法。
【発明の詳細な説明】
【技術分野】
【０００１】
本発明は、土壌再生方法に関する。すなわち、植物栽培施設で使用された土壌を、リサイクル再生して再利用に供する、土壌再生方法に関するものである。
【背景技術】
【０００２】
《従来技術その１》
ハウス栽培施設，その他の植物栽培施設では、肥料が施されたブロック土壌が、定期的に入換え使用されている。
すなわち、肥料が施された例えばピートモス等の土壌が、ブロック土壌（現場用語では培地や培養土とも称されているが、本明細書では、以下単にブロック土壌と称する）として、多数の容器内に入れられ、もって施設内での植物生育に供されている。
そして植物生育後、そのブロック土壌は使用済として廃棄され、代わりに新たに肥料が施されたブロック土壌が、各容器内に入れられて、施設内での新たな植物の生育に供されている。
このように従来、植物栽培で使用され肥料が施されたブロック土壌は、１回の使用毎に廃棄されていた。
【０００３】
《従来技術その２》
ところで、上述したブロック土壌は勿論のこと、植物栽培用の土壌一般について、鉄欠乏症問題が最近顕著化している。
周知のように、植物の肥料の三要素は、窒素，リン酸，カリウムであり、次いで、カルシウム，マグネシウム，硫黄等の肥料が知られている。そして鉄は、微量要素ではあるが、植物の光合成，葉緑素合成，酸化還元，その他の生育反応に関与し、必要不可欠な肥料要素となっている。
そして鉄は、水分を含む土壌中では、二価の鉄イオン（Ｆｅ２＋）の形態か、三価の鉄イオン（Ｆｅ３＋）の形態で存在するのに対し、植物の生体内では、二価の鉄イオンの形態でのみ存在し得る。
そこで鉄を、二価の鉄イオンとして土壌中に溶出せしめて、植物に吸収，摂取させることが必要となる。三価の鉄イオンは、不溶性水酸化物の酸化鉄（Ｆｅ２Ｏ３）となり、植物の吸収，摂取が不能化する。しかるに二価の鉄イオンは、土壌中では酸化されて三価の鉄イオン化，酸化鉄化され易く、土壌そして植物の鉄欠乏症問題が顕著化している。
【先行技術文献】
【特許文献】
【０００４】
ところで、これらに関連する従来技術としては、例えば、次の特許文献１，２，３等に示されたものが挙げられる。
【特許文献１】特開２００５−３０６７１６号公報
【特許文献２】特開２０１０−２１３６８８号公報
【特許文献３】特開２００３−０１２３９０号公報
【発明の概要】
【発明が解決しようとする課題】
【０００５】
《問題点その１》
まず、前述したようにブロック土壌は、１回の使用毎に廃棄されていた。すなわち、使用後の水分を含むブロック土壌中には、植物にとって有害細菌となる嫌気性微生物や害虫が発生している。例えば、葉に有害なウィルス，細菌，糸状菌や、根に有害な線虫等。
更に、使用後のブロック土壌中には、害虫残渣（死骸），肥料残渣，植物残存根等が含まれており、連作障害懸念やアンモニアガス等の有害ガス発生も指摘されていた。
もってブロック土壌は、1回の使用毎に産業廃棄物として処理されており、廃棄コストも嵩むという問題が指摘されていた。
【０００６】
他方、このように廃棄されるブロック土壌中には、施されていた堆肥，その他の各種肥料も残存しており、引き続き利用可能であるにもかかわらず、ブロック土壌と共に廃棄されていた。
そこでこのようなブロック土壌を、リサイクルし再生して肥料と共に再利用することも、従来試みられてはいたが、実用段階には達していなかった。
例えば、上述した引用文献１，２の土壌改良技術も試みられたが、ブロック土壌のリサイクル再生については十分な効果が得られなかった。
又、ブロック土壌のリサイクル再生のため、有害微生物や害虫対策として殺菌剤や殺虫剤等の農薬を用いることも従来検討されたが、安全性に大きな問題が存していた。人畜に対する毒性や、取扱い作業上の安全面に問題があり、実用化は見送られていた。
【０００７】
《問題点その２》
他方、前述した鉄欠乏症問題についても、十分な対策が得られていなかった。勿論、上述したブロック土壌についても同様。
対策技術として上述した特許文献３もあったが、鉄錯体（含．二価の鉄イオン）や被覆材のコスト問題や、鉄溶出のコントロール困難性の問題が、実用化の障害となっていた。
対策技術として、森林の腐植土中で自然生成されたフルボ酸鉄（含．二価の鉄イオン）を採取して、土壌に施すことも検討されたが、極めてコスト高となり実用化の障害となっていた。
更に、いずれの対策技術も、二価の鉄イオンを長期間にわたり土壌中に供給し続ける、効果の維持性に乏しかった。
これらに鑑み、ブロック土壌についても、鉄欠乏症問題は依然解消されておらず、ブロック土壌で生育される植物の光合成，葉緑素合成，酸化還元，その他の生成反応等に、支障が発生し易かった。
【０００８】
《本発明について》
本発明の土壌再生方法は、このような実情に鑑み、上記従来技術の課題を解決すべくなされたものである。
そして本発明は、第１に、ブロック土壌をリサイクル再生して再利用でき、第２に、鉄が二価の鉄イオンとして、植物に効率的かつ確実に摂取されるようになり、第３に、しかもこれが簡単容易に、コスト，持続性，安全性等に優れつつ実現される、土壌再生方法を提案することを目的とする。
【課題を解決するための手段】
【０００９】
《各請求項について》
このような課題を解決する本発明の技術的手段は、特許請求の範囲に記載したように、次のとおりである。
請求項１については、次のとおり。
請求項１の土壌再生方法は、植物栽培施設で使用され腐植物質を含有したブロック土壌を、リサイクル再生して再利用に供する方法に関する。
そして、この土壌再生方法は、まず、アルカリ性イオン水が散布される第１散布工程と、次に、有機酸が散布される第２散布工程と、それから、二価鉄（Ｆｅ）と炭素（Ｃ）が配合される配合工程とを、順に辿って再生土壌を得るようになっていること、を特徴とする。
そして該炭素は、コークス，グラファイト，木炭，石炭，又は活性炭よりなる。
【００１０】
請求項２については、次のとおり。
請求項２の土壌再生方法では、請求項１において、リサイクル再生対象の該ブロック土壌は、肥料が施されていた腐植土よりなり、該腐植物質を含有している。
散布される該アルカリ性イオン水は、亜塩素酸ナトリウムよりなる。散布される該有機酸は、クエン酸又は酢酸よりなる。
配合される該二価鉄は、二価鉄含有物質中に含有されており、粉状又は粒状をなしている。配合される該炭素は、炭素材からなるか又は炭素含有物質中に含有されており、粉状，粒状，又は繊維状をなすこと、を特徴とする。
を特徴とする。
【００１１】
請求項３については、次のとおり。
請求項３の土壌再生方法では、請求項２において、該二価鉄は隣接する該炭素より電気陰性度が低いことに起因して、二価の鉄イオン（Ｆｅ２＋）化すること、を特徴とする。
請求項４については、次のとおり。
請求項４の土壌再生方法では、請求項２において、該二価鉄は該腐植物質のフミン酸の働きにより、二価の鉄イオン（Ｆｅ２＋）化すること、を特徴とする。
【００１２】
請求項５については、次のとおり。
請求項５の土壌再生方法では、請求項３又は４において、該二価の鉄イオンは該腐植物質のフルボ酸と結合し、もって錯体であるフルボ酸鉄が生成されること、を特徴とする。
【００１３】
《作用等について》
本発明は、このような手段よりなるので、次のようになる。
（１）植物栽培施設ではブロック土壌が使用されており、ブロック土壌は、代表的には腐植土よりなり腐植物質が含有されている。
（２）本発明は、使用に供されたブロック土壌をリサイクル再生対象とする。そしてまず、亜塩素酸ナトリウム等のアルカリ性イオン水が散布され、もって、ブロック土壌中の細菌等の微生物や害虫が殺菌，殺虫され、その生育，増殖が抑制される。
（３）次に、クエン酸，酢酸等の有機酸が散布され、もって、ブロック土壌中の有害細菌の嫌気性微生物や害虫が殺菌，殺虫され、生成，増殖が抑制される。これと共に、有益細菌の好気性微生物の生成，増殖が促進される。
（４）しかる後、二価鉄と炭素が配合される。炭素は、コークス，グラファイト，木炭，石炭，又は活性炭よりなる。そして二価鉄は、炭素より電気陰性度が低いことに起因して、二価の鉄イオン化する。又、二価鉄は、腐植物質のフミン酸の働きによっても、二価の鉄イオン化する。
（５）得られた二価の鉄イオンは、腐植物質のフルボ酸と結合してフルボ酸鉄化される。フルボ酸は、二価の鉄イオンに対する結合力が極めて強く、二価の鉄イオンを酸化させることなく、フルボ酸化，錯体化せしめる。
（６）フルボ酸鉄は、二価の鉄イオンがそのままの形態で結合しているので、次のようになる。ａ．ブロック土壌の再生土壌で生育される植物に、効率的かつ確実に摂取されるようになる。
ｂ．ブロック土壌中の有害細菌の嫌気性微生物や害虫は、殺菌，殺虫され、その生成，増殖が抑制されると共に、有益細菌の好気性微生物の生成，増殖が促進される。
ｃ．鉄の臭いにより、有害細菌の嫌気性微生物や害虫が、忌避，退避する。
ｄ．ブロック土壌中の各種残渣有機物（害虫，農薬，肥料，植物根等の残渣）や有害ガスが、分解，解消される。
（７）このようにして、ブロック土壌がリサイクルされ、再生土壌化される。残存していた各種肥料も有効利用され、再生土壌で生育される植物に、効率的に摂取されるようになる。
（８）散布や配合に、廉価な市販品や産業副産物等が用いられており、構成が簡単容易であり、毒性や安全性にも不安がない。
（９）二価の鉄イオンやフルボ酸鉄を、腐植物質，二価鉄，炭素等の組み合わせにより、簡単容易に生成可能であると共に、長期間にわたり供給し続けることが可能である。
しかも、これ迄は酸化され易く不安定であった二価の鉄イオンを、フルボ酸鉄化したことにより、安定的に植物に摂取させることができる。
（１０）さてそこで、本発明の土壌再生方法は、次の効果を発揮する。
【発明の効果】
【００１４】
《第１の効果》
第１に、ブロック土壌を、リサイクル再生して再利用できるようになる。
本発明に係る土壌再生方法では、植物栽培施設で使用されたブロック土壌について、まず、アルカリ性イオン水そして有機酸を散布した後、二価鉄および炭素を配合する。
もって、リサイクル再生対象のブロック土壌について、有害細菌の嫌気性微生物および害虫が、殺菌，殺虫され、生成，増殖が抑制される。これと共に、害虫残渣（死骸），肥料残渣，連作障害，有害ガス，植物残存根等も、分解，解消される。
このようにして使用後のブロック土壌は、再生土壌としてリサイクル再生され、再使用されるようになる。前述したこの種従来技術のように、使用されたブロック土壌を使用済として廃棄処分し、代わりに新たなブロック土壌に入換える必要が無くなる。
このようにブロック土壌が、リサイクル使用可能となり、繰り返して植物の生育用に有効利用されるようになり、施されて残存していた堆肥，その他の各種肥料も、植物の生育に有効利用されるようになる。
【００１５】
《第２の効果》
第２に、鉄が二価の鉄イオンとして、植物に効率的かつ確実に摂取される。
本発明に係る土壌再生方法は、リサイクル再生対象のブロック土壌について、二価鉄，炭素，腐植物質等を配合，含有してなる。そして二価鉄が二価の鉄イオン化した後、腐植物質のフルボ酸と結合してフルボ酸鉄となり、生育される植物にそのまま吸収，摂取されることになる。
従って、ブロック土壌の再生土壌で生育される植物について、光合成，葉緑素合成，酸化還元，その他の生育反応が促進されるようになる。その植物は、微量要素ながら必須肥料の鉄が、二価の鉄イオンの形態で効率的かつ確実に、吸収，摂取される。前述したこの種従来技術で指摘されていた鉄欠乏症問題は、解消される。
【００１６】
《第３の効果》
第３に、しかもこれが簡単容易に、コスト，持続性，安全性等に優れつつ実現される。
本発明に係る土壌再生方法では、ブロック土壌を廃棄することなくリサイクル再生使用すると共に、残存肥料も有効利用される。又、ブロック土壌の腐植土も、ピートモス等の廉価な市販品である等々、コスト面に優れている。
しかも散布，配合も、廉価な市販品のアルカリ性イオン水，有機酸，二価鉄，炭素等により行われ、この面からもコスト面に優れている。
又、前述したこの種従来技術のように、使用されたブロック土壌をその都度毎回、産業廃棄物として廃棄処理することもなく、この面からもコストに優れている。
更に、前述したこの種従来技術で検討された、殺虫剤や殺菌剤等の農業は使用しないので、毒性や取扱い作業上の安全性にも不安がない等、安全面にも優れている。
又、これまで自然生成採取品として極めて高価であったフルボ酸鉄を、簡単容易に生成でき、この面からもコストに優れている。
又、二価の鉄イオンをフルボ酸鉄として、安定的に植物に摂取せしめることができると共に、フルボ酸鉄は、長期間コンスタントに生成可能である等、前述した第２の効果の安定性，持続性にも優れている。
このように、この種従来技術に存した課題がすべて解決される等、本発明の発揮する効果は、顕著にして大なるものがある。
【図面の簡単な説明】
【００１７】
【図１】本発明に係る土壌再生方法について、発明を実施するための形態の説明に供し、構成ブロック図である。
【発明を実施するための形態】
【００１８】
以下、本発明を実施するための形態について、図１を参照しつつ詳細に説明する。
《土壌再生方法の概要》
本発明の土壌再生方法の概要については、次のとおり。この土壌再生方法は、植物栽培施設で使用され腐植物質を含有したブロック土壌１を、リサイクル再生して再利用に供する方法に関する。
そしてまず、アルカリ性イオン水２が散布される第１散布工程と、次に、有機酸３が散布される第２散布工程と、それから、二価鉄（Ｆｅ）４と炭素（Ｃ）５が配合される配合工程とを、順に辿って、再生土壌６を得る。
リサイクル再生対象のブロック土壌１は、肥料が施されていたピートモス，その他の腐植土よりなり、腐植物質７を含有している。
本発明の土壌再生方法の概要は、以上のとおり。以下、このような本発明について、詳述する。
【００１９】
《ブロック土壌１について》
まず、本発明の土壌再生方法のリサイクル再生対象であるブロック土壌１について、説明する。
植物を生育（育苗，栽培）するハウス栽培施設，その他の植物栽培施設では、肥料が施されたブロック土壌１が使用されている。
ブロック土壌１は、例えば径４５ｃｍ程度のプラスチック製の多数の有底容器内に、それぞれ入れられており、施設内における植物の生育に供される。ブロック土壌１には、堆肥，その他の各種肥料が施されている。
そしてブロック土壌１は、代表的にはピートモス，又はその他の腐植土よりなり、腐植物質７が含有されている。腐植土は、森林等において動植物による有機物が、微生物にて分解されて生成された土状のものよりなるが、このような天然ものに限らず、廃材等を発酵させた人工のものもある。農業，園芸用のココピートモスが代表例である。
そして、このような腐植土には、腐植酸であるフミン酸８やフルボ酸９等の腐植物質７が含有されており、水溶性であり抽出可能である。ブロック土壌１は、代表的には腐植物質７を含有した腐植土をそのまま配合してなるが、腐植土から抽出された腐植物質７を一般土壌に配合することも考えられる。
ブロック土壌１については、以上のとおり。
【００２０】
《第１散布工程，第２散布工程について》
本発明の土壌再生方法において、最初の工程である第１散布工程、および次の工程である第２散布工程について、説明する。
まず第１散布工程では、リサイクル再生対象のブロック土壌１に対し、亜塩素酸ナトリウム（ＮａＣｌＯ２），その他の例えばｐＨ１０程度のアルカリ性イオン水２が、散布される。
もって、アルカリ性イオン水２の作用により、ブロック土壌１中の有害細菌の嫌気性微生物や害虫が、かなり殺菌，殺虫せしめられる。なお、好気性微生物も殺菌される。
しかる後、第２散布工程へと進み、ブロック土壌１に対し、クエン酸（Ｃ６Ｈ８Ｏ７）や酢酸（ＣＨ３ＣＯＯＨ）等の有機酸３が、散布される。
もって発生した酸素により、植物にとって有害細菌の嫌気性微生物や害虫が、殺菌，殺虫せしめられる。
第１散布工程，第２散布工程については、以上のとおり。
【００２１】
《配合工程について》
次に、配合工程について説明する。
本発明の土壌再生方法では、前述した第１散布工程および第２散布工程の後、リサイクル再生対象のブロック土壌１に対して、二価鉄（Ｆｅ）４と炭素（Ｃ）５とが、配合される。
二価鉄（Ｆｅ）４については、次のとおり。二価鉄４は、二価鉄含有物質中に含有されており、粉状，粒状，又は塊状をなす。二価鉄含有物質は、塩化第一鉄（ＦｅＣｌ２），その他の二価鉄含有化合物よりなり、ブロック土壌１中やアルカリ性イオン水２中の水分（Ｈ２Ｏ）との接触により、二価の鉄イオン１０を溶出可能である。例えば、高炉スラグ，製鋼スラグ等の鉄鋼スラグ，その他各種の含鉄スラグ，鉄化合物が、例えば鉄鋳物粉，合金鉄粉等として使用される。
炭素（Ｃ）５については、次のとおり。炭素５は、炭素材よりなるか、炭素含有物質中に含有されており、粉状，粒状，塊状，又はハイブリット繊維状をなす。例えば、くん炭，コークス，グラファイト，木炭，石炭，活性炭等よりなり、これらが粉状物や粒状物として使用される。又、炭化率９５％以上のものよりなると共に、タール分等の不純物が含有されていないことを要する。
配合工程については、以上のとおり。
【００２２】
《二価の鉄イオン１０の生成》
次に、二価の鉄イオン１０の生成について、説明する。
本発明の土壌再生方法では、リサイクル再生対象のブロック土壌１について、上述した配合工程により二価鉄４と炭素５が施されると、次の（イ），（ロ）のようになる。
（イ）二価鉄４が、水分を含むブロック土壌１中において、隣接する炭素５より電気陰性度が低いことに起因して、二価の鉄イオン（Ｆｅ２＋）１０化する。
（ロ）二価鉄４は、腐植物質７のフミン酸８の働きにより、二価の鉄イオン（Ｆｅ２＋）１０化する。
【００２３】
これらについて更に詳述する。まず（イ）、ブロック土壌１に混合配合された二価鉄４と炭素５とが、ブロック土壌１中の水分の存在を前提に、ブロック土壌１中で接触，密着する。
すると、水分が電解液の溶媒の役目を果たし、電解質の二価鉄４と炭素５間の電位差により、炭素５に比べ電子奪取力つまり電気陰性度が低い二価鉄４が酸化され、二価の鉄イオン１０として電離，溶出せしめられる。このようにして、二価鉄４がイオン化される。炭素５は、このような二価鉄４の反応促進用として機能する。
他方（ロ）、ブロック土壌１では、上述した（イ）とは異なり、次によっても二価鉄４がイオン化される。
すなわち、ブロック土壌１に混合配合される二価鉄４と、例えば腐植土から抽出される腐植物質７のフミン酸８とが、ブロック土壌１中の水分の存在を前提に、ブロック土壌１中で接触，密着する。
すると、水分が電解液の溶媒の役目を果たし、酸性有機物のフミン酸８が電解質の二価鉄４を溶かし、二価の鉄イオン１０として電離，溶出せしめる（もってフミン酸８はシデロホアとも称される）。
なお、このような（イ），（ロ）の反応の前提となる水分は、ブロック土壌１中に元々含有されていた水分のみならず、前述により散布されたアルカリ性イオン水２からも供給される。
二価の鉄イオン１０の生成については、以上のとおり。
【００２４】
《二価の鉄イオン１０の錯体化》
次に、二価の鉄イオン１０の錯体化について説明する。
本発明の土壌再生方法では、リサイクル対象のブロック土壌１について、二価鉄４は、上述したように、（イ）炭素５との関係や（ロ）フミン酸８との関係で、二価の鉄イオン１０化される。
ところで、このように生成された二価の鉄イオン１０は、酸化され易く不安定であり、酸素にて酸化されて三価の鉄イオン（Ｆｅ３＋）化，酸化鉄（Ｆｅ２Ｏ３）化され易い。三価の鉄イオン，酸化鉄では、植物への吸収，摂取等が不能化する。これに対し二価の鉄イオン１０は、植物に吸収，摂取等される。
【００２５】
さて、上述により溶出された二価の鉄イオン１０は、腐植物質７のフルボ酸９と結合し、もって錯体であるフルボ酸鉄（腐植酸鉄，有機酸鉄の一種）１１が生成される。
すなわち、二価の鉄イオン１０に対し、フルボ酸９の結合力（キレート結合力）が、酸素の結合力（酸化力）より強いので、二価の鉄イオン１０は、酸化されることなく素早くキレート結合され、錯体化される。二価の鉄イオン１０を錯体中心とし、フルボ酸９が配位したフルボ酸鉄１１が生成される。フルボ酸９は、例えば腐植土中から抽出される。
このような二価の鉄イオン１０のフルボ酸鉄１１化に伴い、二価の鉄イオン１０の酸化鉄（Ｆｅ２Ｏ３）化は抑制される。フルボ酸鉄１１は、錯体として非常に安定しており、酸素にて酸化されることはない。
【００２６】
さてそこで、このようなフルボ酸鉄１１そして二価の鉄イオン１０は、次のａ，ｂ，ｃ，ｄのように機能する。
ａ．錯体を形成する二価の鉄イオン１０は、そのままのイオン形態のまま、植物に吸収，摂取される。二価の鉄イオン１０はフルボ酸鉄１１となり、そのまま、再生土壌６化されたブロック土壌１で生育される植物に、吸収，摂取される。
ｂ．錯体を形成するフルボ酸鉄１１そして二価の鉄イオン１０は、酸素を導入すべく作用する。酸素にて酸化されることなく、酸素を単に収集するに止まる。もってブロック土壌１中に、有害細菌の嫌気性微生物や害虫が生存，再発生したとしても、殺菌，殺虫される。
ｃ．フルボ酸鉄１１の臭い，二価の鉄イオン１０の臭い，つまり鉄の臭いを、有害細菌の嫌気性微生物や害虫は嫌い、ブロック土壌１外へと忌避，退避するようになる。
ｄ．フルボ酸鉄１１そして二価の鉄イオン１０は、ブロック土壌１中の害虫残渣（死骸），農薬残渣，肥料残渣（例えばリン酸化合物），植物残存根，等々の残存有機物やアンモニアガス等の有害ガスを、アミノ酸，その他に分解する。
二価の鉄イオン１０の錯体化については、以上のとおり。
【００２７】
《再生土壌６について》
次に、再生土壌６について説明する。
本発明の土壌再生方法は、このような第１散布工程，第２散布工程，配合工程，二価の鉄イオン１０化，錯体化の各工程等を、順に辿ることにより、再生土壌６が得られる。
再生土壌６は、植物栽培施設で使用されたブロック土壌１を、リサイクル再生した土壌である。リサイクル再生対象のブロック土壌１は、肥料が施されていたピートモス，又はその他の腐植物質７を含有した腐植土よりなる。
そして、亜塩素酸ナトリウム，その他のアルカリ性イオン水２が、予め散布されると共に、クエン酸，酢酸，その他の有機酸３が、予め散布されている。
そして、二価鉄含有物質中に含有され粉状又は粒状をなす二価鉄（Ｆｅ）４が、配合されると共に、炭素材からなるか又は炭素含有物質中に含有された粉状，粒状，又は繊維状をなす炭素（Ｃ）５が、配合されている。
なお二価鉄４は、炭素５より電気陰性度が低いことに起因して、二価の鉄イオン（Ｆｅ２＋）１０化すると共に、腐植物質７のフミン酸８の働きにより、二価の鉄イオン（Ｆｅ２＋）１０化し、二価の鉄イオン１０は、腐植物質７のフルボ酸９と結合して、錯体であるフルボ酸鉄１１が生成されている。
再生土壌６については、以上のとおり。
【００２８】
《作用等》
本発明の土壌再生方法は、以上説明したように構成されている。そこで、以下のようになる（図１も参照）。
（１）植物を生育する栽培施設では、各種肥料が施されたブロック土壌１が使用されている。ブロック土壌１は、代表的にはピートモス，又はその他の腐植土よりなり、腐植物質７が含有されている。
【００２９】
（２）そして、このようなブロック土壌１をリサイクル再生対象とした、この土壌再生方法では、既に使用に供されていたブロック土壌１に対し、まず第１散布工程において、亜塩素酸ナトリウム等のアルカリ性イオン水２が散布される。
もって、リサイクル再生対象のブロック土壌１中の細菌等の微生物や害虫が、殺菌，殺虫され、その生育，増殖が抑制される。
【００３０】
（３）次に第２散布工程において、クエン酸，酢酸等の有機酸３が散布される。もって発生した酸素により、リサイクル再生対象のブロック土壌１中の有害細菌の嫌気性微生物や害虫が、殺菌，殺虫され、その生成，増殖が抑制される。
例えば、生育される植物の特に葉に有害なウィルス，病原菌，糸状菌，フザリウム菌や、特に根に有害な線虫類，寄生虫等が、殺菌，殺虫され、生成，増殖が抑制される。
これに対し、ブロック土壌１中の有益細菌の好気性微生物の生成，増殖が促進される。勿論、育成される植物の根にも、酸素が補給される。
【００３１】
（４）しかる後、リサイクル再生対象のブロック土壌１に対し、二価鉄（Ｆｅ）４と炭素（Ｃ）５が、配合される。炭素（Ｃ）５は、コークス，グラファイト，木炭，石炭，又は活性炭よりなる。
もってブロック土壌１中では、二価鉄４が、水分の存在を前提としつつ、接触，密着する炭素５に比し電気陰性度が低いことに起因して、二価の鉄イオン（Ｆｅ２＋）１０化する。又、二価鉄４が、水分の存在を前提としつつ、接触，密着する腐植物質７のフミン酸８の働きによっても、二価の鉄イオン１０化する。
【００３２】
（５）得られた二価の鉄イオン１０は、リサイクル再生対象のブロック土壌１中で、腐植物質７のフルボ酸９と結合して、フルボ酸鉄１１となる。
すなわちフルボ酸９は、二価の鉄イオン１０に対する結合力が酸素の結合力より強いので、生成された二価の鉄イオン１０は、酸化されることなく素早くキレート結合される。三価の鉄イオン化，酸化鉄化は阻止され、フルボ酸鉄１１として、錯体化される。
【００３３】
（６）そこでａ．得られた錯体であるフルボ酸鉄１１では、二価の鉄イオン１０がそのままの形態で結合しており、フルボ酸鉄１１は、その二価の鉄イオン１０と共に植物に吸収される。
もって植物の必須要素である鉄が、二価の鉄イオン１０の形態で、効率的かつ確実に、再生土壌６化されたブロック土壌１で生育される植物に摂取されるようになり、植物の鉄欠乏症問題は解消される。
ｂ．フルボ酸鉄１１そして二価の鉄イオン１０により、酸素が導入され、もってリサイクル再生対象のブロック土壌１中の有害細菌の嫌気性微生物や害虫は、殺菌，殺虫され、その生成，増殖が抑制される。
これに対し、有益細菌の好気性微生物の生成，増殖が促進される。勿論、生育される植物の根にも酸素が補給される。
ｃ．更に、フルボ酸鉄１１そして二価の鉄イオン１０の臭いにより、有害細菌の嫌気性微生物や害虫は、忌避，退避する。
ｄ．フルボ酸鉄１１そして二価の鉄イオン１０は、リサイクル再生対象のブロック土壌１について、害虫残渣，肥料残渣，農薬残渣，植物残存根等の残存有機物や有害ガスを、分解，解消する。
【００３４】
（７）本発明の土壌再生方法では、このようにして再生土壌６が得られる。リサイクル再生対象の使用されたブロック土壌１は、有害細菌の嫌気性微生物や害虫が殺菌，殺虫され、各種残渣等も分解，解消されている。つまりリサイクル再生された再生土壌６として、再使用に供されうるものとなる。
ブロック土壌１中に残存していた堆肥，その他の各種肥料は、再生土壌６での植物の生育に有効利用され、植物に効率的に摂取される。
【００３５】
（８）本発明の土壌再生方法では、既使用のブロック土壌１を繰り返しリサイクル再生使用すると共に、ブロック土壌１自体も、廉価な市販品のピートモス等の腐植土よりなる等、構成が簡単容易である。
又、リサイクル再生対象のブロック土壌１への散布，配合も、市販品等にて行われる。すなわち、亜塩素酸ナトリウム等のアルカリ性イオン水２、クエン酸や酢酸等の有機酸３、鉄鋼スラグ等の二価鉄４、炭素材等の炭素５等、廉価な市販品や産業副産物にて散布，配合は行われ、簡単容易である。
しかもこれらは、毒性が極めて低く、取扱い作業上の安全性にも特に不安がない。
【００３６】
（９）これまで自然生成採取品であったフルボ酸鉄１１を、腐植物質７，二価鉄４，炭素５等の組み合わせにより、簡単容易に生成可能である。
又、これ迄は酸化され易く不安定であった二価の鉄イオン１０を、酸素に触れても酸化されにくく極めて安定した錯体のフルボ酸鉄１１化する。もって、再生土壌６で生育される植物に対し、安定的に供給，吸収，摂取せしめることができる。
更に、このような二価の鉄イオン１０のフルボ酸鉄１１を、その各配合物質を組み合わせにより、長期間にわたり再生土壌６に供給し続けることができる。
作用等については、以上のとおり。
【符号の説明】
【００３７】
１  ブロック土壌
２  アルカリ性イオン水
３  有機酸
４  二価鉄（Ｆｅ）
５  炭素（Ｃ）
６  再生土壌
７  腐植物質
８  フミン酸
９  フルボ酸
１０  二価の鉄イオン（Ｆｅ２＋）
１１  フルボ酸鉄
【図１】
0006725959.tif 000002